(57)【要約】【課題】ヒンジにおいて、第二ウイング部材の閉状態から開状態まで、スライド部材とカム部材との当接部分側に異物が入り込んで、当該異物にカム部材に設けられたオイルが付着すること等を確実に防止する。【解決手段】ヒンジ１００は、カム部材８０と第一スライダ４０（スライド部材）の当接部分の近傍外側に配置され、第二ウイング部材の閉状態から開状態まで、第一スライダ４０及びカム部材８０の外側から、第一スライダ４０とカム部材８０の当接部分側に異物が入り込むことを防止するフェンス部材９０を具備し、フェンス部材９０は、第一スライダ４０に支持されるものとする。【選択図】図２
2020194121.tif 000002
【特許請求の範囲】
【請求項１】
第一連結対象物に固定される第一ウイング部材と、
前記第一ウイング部材に設けられるカム部材と、
第二連結対象物に固定されるとともに前記第一ウイング部材に回動軸を介して回動可能に連結され、前記第一ウイング部材に対して開状態と閉状態との間で遷移する第二ウイング部材と、
前記第二ウイング部材に収容されつつ前記カム部材に接近する方向および前記カム部材から離間する方向に移動可能なスライド部材と、
前記スライド部材を前記カム部材に接近する方向に付勢することにより前記スライド部材を前記カム部材に当接させる付勢部材と、
前記カム部材と前記スライド部材の当接部分の近傍外側に配置され、前記第二ウイング部材の閉状態から開状態まで、前記スライド部材及び前記カム部材の外側から、前記スライド部材と前記カム部材の当接部分側に異物が入り込むことを防止するフェンス部材と、を具備し、
前記フェンス部材は、前記スライド部材に支持される、ヒンジ。
【請求項２】
前記フェンス部材は、前記スライド部材にぶら下がるように支持される、請求項１に記載のヒンジ。
【請求項３】
前記フェンス部材は、弧状に形成される、
請求項１または請求項２に記載のヒンジ。
【請求項４】
前記フェンス部材は、グリスや塵芥等が前記フェンス部材の前記カム部材側から外側に漏出すことを防止するガード部を有する、
請求項１から請求項３のいずれか一項に記載のヒンジ。
【請求項５】
請求項１から請求項４のいずれか一項に記載のヒンジを備え、本体に対して原稿圧着板を開閉可能とする開閉装置であって、
前記第一連結対象物は前記本体として構成され、
前記第二連結対象物は前記原稿圧着板として構成される、
開閉装置。
【発明の詳細な説明】
【技術分野】
【０００１】
本発明は、例えば事務機器の本体に事務機器の原稿圧着板を開閉可能に連結する等、第一連結対象物に第二連結対象物を開閉可能に連結するヒンジまたはヒンジを用いた開閉装置に関する。
【背景技術】
【０００２】
従来、複写機、ファクシミリ、スキャナー等、オフィスで使用される事務機器の多くは、その本体の上面に原稿読み取り部（コンタクトガラス）を具備するとともに、当該原稿読み取り部を覆う原稿圧着板を具備する。原稿圧着板は、原稿読み取り部に載置された原稿を原稿読み取り部に密着させるとともに原稿読み取り部に対する原稿の位置を保持するものである。
【０００３】
事務機器の本体と原稿圧着板とを連結する器具としては、第一ウイング部材と、第一ウイング部材に固定されるカム部材と、第一ウイング部材に回動軸を介して回動可能に連結される第二ウイング部材と、カム部材に接近する方向およびカム部材から離間する方向に移動可能なスライド部材と、スライド部材をカム部材に接近する方向に付勢することによりスライド部材をカム部材に当接させる付勢部材と、を具備するヒンジが知られている（特許文献１参照）。
また、ヒンジには、カム部材に設けられたオイルが付着することを防止するために、スライド部材とカム部材の当接部分の外側に、オイルフェンス（フェンス部材）を備える構成のものがある。
【先行技術文献】
【特許文献】
【０００４】
【特許文献１】特開２０１１−１９１７２８号公報
【発明の概要】
【発明が解決しようとする課題】
【０００５】
しかしながら、前記ヒンジでは、第二ウイング部材の回動角度によっては、スライド部材とカム部材の当接部分が露出した状態となっている。このような状態では、外側からスライド部材とカム部材の当接部分側に異物が入り込むことによって、当該異物にオイルが付着する場合があった。
【０００６】
本発明は以上の如き状況に鑑みてなされたものであり、第二ウイング部材の閉状態から開状態まで、スライド部材とカム部材との当接部分側に異物が入り込んで当該異物にカム部材に設けられたオイルが付着すること等を確実に防止することができるヒンジを提供することを課題とする。
【課題を解決するための手段】
【０００７】
本発明の解決しようとする課題は以上の如くであり、次にこの課題を解決するための手段を説明する。
【０００８】
即ち、請求項１においては、第一連結対象物に固定される第一ウイング部材と、前記第一ウイング部材に設けられるカム部材と、第二連結対象物に固定されるとともに前記第一ウイング部材に回動軸を介して回動可能に連結され、前記第一ウイング部材に対して開状態と閉状態との間で遷移する第二ウイング部材と、前記第二ウイング部材に収容されつつ前記カム部材に接近する方向および前記カム部材から離間する方向に移動可能なスライド部材と、前記スライド部材を前記カム部材に接近する方向に付勢することにより前記スライド部材を前記カム部材に当接させる付勢部材と、前記カム部材と前記スライド部材の当接部分の近傍外側に配置され、前記第二ウイング部材の閉状態から開状態まで、前記スライド部材及び前記カム部材の外側から、前記スライド部材と前記カム部材の当接部分側に異物が入り込むことを防止するフェンス部材と、を具備し、前記フェンス部材は、前記スライド部材に支持されるものである。
【０００９】
請求項２においては、前記フェンス部材は、前記スライド部材にぶら下がるように支持されるものである。
【００１０】
請求項３においては、前記フェンス部材は、弧状に形成されるものである。
【００１１】
請求項４においては、前記フェンス部材は、グリスや塵芥等が前記フェンス部材の前記カム部材側から外側に漏出すことを防止するガード部を有するものである。
【００１２】
請求項５においては、記載ヒンジを備え、本体に対して原稿圧着板を開閉可能とする開閉装置であって、前記第一連結対象物は前記本体として構成され、前記第二連結対象物は前記原稿圧着板として構成されるものである。
【発明の効果】
【００１３】
本発明の効果として、以下に示すような効果を奏する。
即ち、本発明によれば、第二ウイング部材の閉状態から開状態まで、スライド部材とカム部材との当接部分側に異物が入り込んで、当該異物にカム部材に設けられたオイルが付着すること等を確実に防止することができる。
【図面の簡単な説明】
【００１４】
【図１】本発明の実施形態に係るヒンジを具備する複合機を示す右側面図。
【図２】同じくヒンジの開放状態を示す側面図。
【図３】同じくヒンジの開放状態を示す正面図。
【図４】同じくヒンジの開放状態を示す断面図。
【図５】同じくヒンジの閉塞状態を示す側面図。
【図６】同じくヒンジの開放状態を示す断面図。
【図７】同じくヒンジのフェンス部材周辺部分を示す斜視図。
【図８】同じくヒンジの第一スライダを示す斜視図。
【図９】同じくヒンジのフェンス部材を示す斜視図。
【発明を実施するための形態】
【００１５】
以下では図１を用いて事務機器の実施の一形態である複合機１について説明する。
複合機１は本体２および原稿圧着板３を具備する。本実施形態において、複合機１は、本発明の第一実施形態に係るヒンジ１００または本体２に対して原稿圧着板３を開閉可能とする開閉装置（以下「開閉装置」と称する）を具備する構成とするが、複合機１または開閉装置が後述する他の実施形態に係るヒンジまたは開閉装置を具備する構成とすることも可能である。
【００１６】
本体２は本発明に係る第一連結対象物の実施の一形態である。
本体２は原稿読み取り装置、制御装置、印刷装置、表示装置および入力装置を具備する。
原稿読み取り装置は本体２の上面に配置される。原稿読み取り装置は本体２の上面に載置された原稿を読み取る（原稿の画像情報を生成する）。
制御装置は複合機１の各部の動作、より詳細には原稿読み取り装置、後述する印刷装置および後述するＡＤＦの動作を制御する。
また、制御装置は原稿読み取り装置が生成した画像情報および本体２に接続された回線（インターネット回線等）を通じて取得した画像情報を記憶することが可能である。
印刷装置は原稿読み取り装置の下方に配置される。印刷装置は制御装置が記憶した画像情報に基づいて所定の用紙に画像を印刷する。
表示装置は例えば液晶パネルからなり、複合機１の動作状況等に係る情報を表示する。
入力装置は例えばボタン、スイッチ等からなり、作業者が複合機１に対する指示等を入力する際に操作する。表示装置および入力装置は本体２の上面前部に配置される。
【００１７】
原稿圧着板３は本発明に係る第二連結対象物の実施の一形態である。
原稿圧着板３は原稿読み取り装置の上に載置された原稿を原稿読み取り装置に向かって押さえつける（圧着する）ことにより、原稿読み取り装置が原稿を読み取る際に原稿が動く（原稿読み取り装置との相対的な位置が変化する）ことを防止する。
原稿圧着板３は読取前原稿収容トレイ、ＡＤＦ（Ａｕｔｏ  Ｄｏｃｕｍｅｎｔ  Ｆｅｅｄｅｒ）および読取後原稿収容トレイを具備する。
ＡＤＦは読取前原稿収容トレイに積層状態で収容された複数枚の原稿を一枚ずつ順に取り出して原稿読み取り装置の上の所定の読取位置に載置する。原稿読み取り装置による原稿の読み取りが終了した後、ＡＤＦは読取位置に載置された原稿を読取後原稿収容トレイに搬送する。
【００１８】
「事務機器」は、少なくとも原稿を読み取る（原稿の画像情報を取得する）機能を具備する装置を指す。
事務機器の具体例としては、（ａ）原稿を読み取る機能および読み取った原稿に係る画像情報を他の機器（例えば、パーソナルコンピュータ）に送信する機能を具備するスキャナー、（ｂ）原稿を読み取る機能、読み取った原稿に係る画像情報を通信回線を介して他の機器に送信する機能および他の機器から取得した画像情報をプリントアウトする機能を具備するファクス、（ｃ）原稿を読み取る機能および読み取った原稿に係る画像情報をプリントアウトする機能を具備するコピー機、（ｄ）上記スキャナー、ファクス、およびコピー機としての機能を兼ねる複合機、等が挙げられる。
【００１９】
以下で詳述する実施形態に係るヒンジはいずれも複合機１の本体２に原稿圧着板３を開閉可能（回動可能）に連結する用途に用いられるが、本発明に係るヒンジの用途はこれに限定されない。
すなわち、本発明に係るヒンジは、「二つの部材のうちの一方の部材（第一連結対象物）に他方の部材（第二連結対象物）を開閉可能に連結する用途」に広く適用可能である。
本発明に係るヒンジが適用される他の用途の具体例としては、事務機器の本体にトナーカートリッジを交換するためのハッチ（蓋）を開閉可能に連結する用途、自動車の車体にボンネットを開閉可能に連結する用途、便器に便座を開閉可能に連結する用途、等が挙げられる。
【００２０】
以下の説明では、原稿圧着板３が閉じているとき（原稿圧着板３の下面が本体２の上面に当接しているとき）の原稿圧着板３の回動角度θ（より厳密には、本体２に対する原稿圧着板３の回動角度θ）を「０度」とし、原稿圧着板３が開く方向に回動した場合に回動角度θが増加する（回動角度θが正になる）ように原稿圧着板３の回動角度θを定義する（図１参照）。本実施形態において、本体２に対する原稿圧着板３の回動角度θは、後述する第二ウイング部材の第一ウイング部材に対する閉状態からの回動角度とも一致する。このため、本実施形態では双方とも「回動角度θ」と記載する。
【００２１】
以下では、図１から図９を用いて本発明に係るヒンジの一実施形態であるヒンジ１００について説明する。なお、開閉装置は、本体２に対して原稿圧着板３を開閉可能とする装置としてヒンジ１００を用いて構成したものを示す。
図１に示す如く、ヒンジ１００は複合機１の本体２に原稿圧着板３を回動可能に連結する。
図２から図９に示す如く、ヒンジ１００は下部固定部材１０、中間部材２０、第一回動ピン７１、上部固定部材３０、第二回動ピン７２、受圧部７３、第一スライダ４０、第二スライダ５０、バネ６０、ダンパー６２、カム部材８０、及びフェンス部材９０を具備する。
以下では便宜上、原稿圧着板３が本体２に対して閉じているとき（回動角度θ＝０度のとき）の複合機１の上下方向、前後方向および左右方向を基準として（原稿圧着板３が本体２に対して閉じているときの複合機１の上下方向、前後方向および左右方向をそれぞれヒンジ１００の上下方向、前後方向および左右方向に対応させて）ヒンジ１００を構成する各部材の形状を説明する。
【００２２】
下部固定部材１０は本発明に係る第一ウイング部材の実施の一形態である。下部固定部材１０は複合機１の本体２に固定される。
本実施形態の下部固定部材１０は一枚の金属板を適宜折り曲げることにより成形される。下部固定部材１０は底板１１、左右の側板１２・１２、および背板１３を具備する。
【００２３】
底板１１は下部固定部材１０の下部を成す板状の部材である。底板１１は上下一対の板面を有する。底板１１の形状は平面視で前後方向にやや長い概ね長方形である。
【００２４】
側板１２は下部固定部材１０における左右それぞれの側部を成す板状の部材である。側板１２は側面視で概ね前下がりの階段の如き形状を有する。側板１２の下端部は底板１１の端部に繋がっている（一枚の金属板を直角に折り曲げることにより、底板１１および側板１２・１２が形成される）。側板１２の後上端部には、第一回動ピン７１を挿通するための貫通孔が開口される。
【００２５】
背板１３は下部固定部材１０の後部を成す板状の部材である。背板１３は前後一対の板面を有する。背板１３の形状は正面視で左右方向にやや長い概ね長方形である。
背板１３の下端部は底板１１の後端部に繋がっている（一枚の金属板を直角に折り曲げることにより、底板１１および背板１３が形成される）。
【００２６】
中間部材２０は本発明に係る中間部材の実施の一形態であり、一枚の金属板を適宜折り曲げることにより、天板及び左右の側板２１・２１で形成される部材である。中間部材２０は後述する如く第一スライダ４０、第二スライダ５０、バネ６０、ダンパー６２等を収容した状態で、第一回動ピン７１を介して下部固定部材１０に回動可能に支持される。側板２１・２１の後部には、第一回動ピン７１を挿通するための貫通孔が左右方向に開口されている。
【００２７】
第一回動ピン７１は本発明に係る「第一ウイング部材に対する第二ウイング部材の回動軸（第二ウイング部材を第一ウイング部材に回動可能に連結する回動軸）」の実施の一形態であり、概ね円柱形状の部材である。
【００２８】
第一回動ピン７１は、中間部材２０の側板２１・２１の貫通孔及び下部固定部材１０の側板１２の貫通孔に挿通される。中間部材２０は第一回動ピン７１を介して下部固定部材１０に回動可能に連結される。
【００２９】
上部固定部材３０は本発明に係る固定部材の実施の一形態であり、一枚の金属板を適宜折り曲げることにより、天板及び左右の側板３１・３１で形成される略筒状の部材である。上部固定部材３０は後述する如く第二回動ピン７２を介して中間部材２０に回動可能に支持される。また、上部固定部材３０は原稿圧着板３に固定されている。
また、側板３１・３１には受圧部７３を取付けるための貫通孔が形成される。
【００３０】
第二回動ピン７２は本発明に係る「中間部材に対する固定部材の回動軸（固定部材を中間部材に回動可能に連結する回動軸）」の実施の一形態であり、上部固定部材３０を中間部材２０に回動可能に連結する回動軸を成す部材である。第二回動ピン７２は概ね円柱形状の部材であり、上部固定部材３０及び中間部材２０の前部に挿通される。その結果、上部固定部材３０は第二回動ピン７２を介して中間部材２０に回動可能に連結される。
【００３１】
受圧部７３は、本発明に係る受圧部の実施の一形態である。受圧部７３は、ピン状に構成される。受圧部７３は、側板３１・３１の貫通孔に挿通されて上部固定部材３０に固定される。受圧部７３のスライダ側の面は、カム面として構成され、第二スライダ５０のカム当接面５２と当接する。
なお、受圧部７３は、ピン状のものに限定されるものではなく、板状の部材を折り曲げて構成すること等、他の構成とすることもできる。
【００３２】
第一スライダ４０は本発明に係るスライド部材の実施の一形態である。本実施形態の第一スライダ４０は樹脂材料からなる。
第一スライダ４０は、有底に構成される本体４１と、本体４１の底部後面から後方（本体４１の外側）に突出するカム当接部４２とを備える。カム当接部４２の左右幅は、本体４１の左右幅よりも短く構成される。また、第一スライダ４０は後面にカム当接面４３を備える。カム当接面４３は、カム当接部４２の後方の面で構成される。第一スライダ４０（本体４１）にはバネ６０の後端部を収容するバネ受け穴が形成されている。第一スライダ４０は中間部材２０の内部における後部で前後方向に摺動可能に収容される。
【００３３】
第二スライダ５０は本発明に係るスライド部材の実施の一形態である。本実施形態の第二スライダ５０は樹脂材料からなる。
第二スライダ５０は前面にカム当接面５２を備える。第二スライダ５０にはバネ６０の前端部を収容するバネ受け穴が形成されている。
【００３４】
本実施形態では、「中間部材２０、上部固定部材３０、第一スライダ４０、第二スライダ５０、第二回動ピン７２および受圧部７３を合わせたもの」が本発明に係る第二ウイング部材の実施の一形態に相当する。言い換えれば、本発明に係る第二ウイング部材の実施の一形態は、中間部材２０、上部固定部材３０、第一スライダ４０、第二スライダ５０、第二回動ピン７２および受圧部７３を具備する。そして、上部固定部材３０が原稿圧着板３に固定されることにより、第二ウイング部材は第二連結対象物に固定される。
【００３５】
本実施形態においては、第二ウイング部材が第一ウイング部材に最も近接した状態を第二ウイング部材の「閉状態」（原稿圧着板３が本体２に対して閉じている状態）とする。閉状態とは、第二ウイング部材の第一ウイング部材に対する閉状態からの回動角度θが０度となる状態を指す。また、第二ウイング部材が第一ウイング部材から最も離間した状態を第二ウイング部材の「開状態」とする。開状態とは、原稿圧着板３が本体２に対して開いている状態であり、回動角度θが９０度となる状態を指す。
【００３６】
バネ６０は、付勢部材の実施の一形態であり、金属製の巻きバネ（圧縮バネ）で構成される。バネ６０は中間部材２０の内部（第一スライダ４０と第二スライダ５０とのバネ受け孔）に収容される。
【００３７】
バネ６０の後端部は第一スライダ４０に形成されたバネ受け穴に挿入されてバネ受け穴の底面に当接する。また、バネ６０の前端部は第二スライダ５０に形成されたバネ受け穴に挿入されてバネ受け穴の底面に当接する。
【００３８】
バネ６０が発生する付勢力、すなわち、圧縮される方向に弾性変形したバネ６０が元の形状（外力が作用していないときの形状）に戻ろうとする力（弾性力）により、第一スライダ４０は中間部材２０の長手方向のうち第一回動ピン７１に接近する方向に付勢され、第二スライダ５０は中間部材２０の長手方向のうち受圧部７３に接近する方向に付勢される。
【００３９】
ダンパー６２は、第一スライダ４０及び第二スライダ５０のバネ受け穴に収容されている。ダンパー６２の本体部は、第二スライダ５０の底部に固定され、その先端部６２ａが第一回動ピン７１の側に突出する。ダンパー６２は、第一スライダ４０の底部によって先端部６２ａが押圧力を受けたときに反力を発生させる。このため、当該反力により第一スライダ４０が移動する速度が小さくなり、ダンパー６２による緩衝効果が発生する。ダンパー６２は一般的な流体ダンパーで構成される。
【００４０】
カム部材８０は樹脂材料からなる。カム部材８０は下部固定部材１０の背板１３に固定される。カム部材８０の上後部に形成された貫通孔には、第一回動ピンが挿通される。カム部材８０の上後部には、第一スライダ４０のカム当接面４３に当接するカム面８１が形成されている。
【００４１】
カム部材８０を下部固定部材１０に取付け、第二ウイング部材を閉状態とした際には、第一スライダ４０のカム当接面４３はカム部材８０のカム面８１に当接するとともに、第二スライダ５０のカム当接面５２が受圧部７３に当接する。
その結果として、バネ６０に生じる弾性力により、中間部材２０（第二ウイング部材）は下部固定部材１０に対して開く方向に回動するように付勢され、上部固定部材３０は中間部材２０に対して閉じる方向に回動するように付勢される。この際、ダンパー６２の先端部６２ａは第二スライダ５０の底部によって押圧され、本体部側に押し込まれる。
【００４２】
本実施形態では、第二ウイング部材の第一ウイング部材に対する閉状態からの回動角度θが０度から第一の所定角度φ１までの第一領域にあるとき（０度≦θ≦φ１のとき）、バネ６０に生じる弾性力により、第二ウイング部材を第一ウイング部材に対して開状態となる方向に回動させる構成としている。例えば、第一の所定角度φ１は６０度（回動角度θ＝第一の所定角度φ１＝６０度）に設定されている。なお、第一の所定角度φ１は６０度以外の他の角度に設定することも可能である。
【００４３】
本実施形態においては、上部固定部材３０に固定された原稿圧着板３の自重に起因してヒンジ１００を閉じようとする回転力と、バネ６０の付勢力に起因してヒンジ１００を開こうとする回転力と、が概ね平衡するように、第一スライダ４０のカム当接面４３またはカム部材８０のカム面８１の形状等が予め定められる。
このように構成することにより、複合機１の本体２に対する原稿圧着板３の回動角度θが０度からφ１までの範囲において作業者が原稿圧着板３から手を離した場合には、回動角度θが保持される。
【００４４】
フェンス部材９０は、カム部材８０のカム面８１の近傍において、カム部材８０のカム面８１及び第一スライダ４０のカム当接面４３の前方に配置される（図７参照）。フェンス部材９０は、中間部材２０の閉状態から開状態まで（中間部材２０の回動範囲の全域に亘って）、第一スライダ４０及びカム部材８０の外側から、第一スライダ４０のカム当接面４３とカム部材８０のカム面８１との当接部分側に異物（例えば原稿等）が入り込むことを防止する。フェンス部材９０は、カム部材８０のカム面８１（第一スライダ４０のカム当接面４３とカム部材８０のカム面８１との当接部分）を前方外側から見えないようにして、外側との空間を遮蔽するように構成される。
フェンス部材９０は、第一スライダ４０（カム当接部４２）にぶら下がるように（回動可能に）支持される。フェンス部材９０は、中間部材２０の回動動作または第一スライダ４０の移動動作とともに移動可能に構成される。
【００４５】
フェンス部材９０は、本体部９１と、一対のアーム９２と、を具備する（図９参照）。
本体部９１は、カム部材８０（カム面８１）の左右幅と略同一の板状に構成される。
アーム９２は、本体部９１の左右上端部からそれぞれ外側に突出してさらに上方に突出する。アーム９２は、その上方の突出側の端部において左右方向内側に突出する凸部９３・９３を有する。
【００４６】
第一スライダ４０は、凹部４４と、案内部４５と、を具備する（図８参照）。
凹部４４は、第一スライダ４０のカム当接部４２の左右の側面略中央部に形成される略半球状の凹状の切欠きである。左右の凹部４４にフェンス部材９０の左右の凸部９３がそれぞれ配置されることによって、フェンス部材９０が第一スライダ４０（カム当接部４２）に支持される。
案内部４５は、第一スライダ４０のカム当接部４２の左右の側面に形成される溝（貫通溝）である。案内部４５は、カム当接部４２の側面を後上端部から凹部４４まで切欠くように形成される。案内部４５は、フェンス部材９０を第一スライダ４０に取付けるときに、フェンス部材９０の凸部９３が第一スライダ４０の案内部４５を通って凹部４４に至るようにすることから、凸部９３を凹部４４に配置し易くする。
【００４７】
このように、フェンス部材９０は、第一スライダ４０にぶら下がるように支持されて、カム部材８０のカム面８１近傍においてカム部材８０のカム面８１及び第一スライダ４０のカム当接面４３との前方（カム部材８０と第一スライダ４０の当接部分の前方）に配置され、第一スライダ４０及びカム部材８０の外側から、第一スライダ４０のカム当接面４３とカム部材８０のカム面８１との当接部分側に異物（例えば原稿等）が入り込むことを防止することから、第二ウイング部材の閉状態から開状態まで、例えば、本体２の上面に配置された原稿が第一スライダ４０のカム当接面４３とカム部材８０のカム面８１との当接部分側に入り込んで、当該原稿にオイルが付着すること等を確実に防止することができる。
また、フェンス部材９０は、第一スライダ４０に支持されて、第一スライダ４０のカム当接面４３とカム部材８０のカム面８１との当接部分を前方外側から見えないようにして外側との空間を遮蔽するように構成されることから、カム部材８０のカム面８１が極力露出しないこととなり、カム部材８０側からオイルが外側に飛散することを抑制することができる。
また、フェンス部材９０は、第一スライダ４０に支持され、中間部材２０の回動動作または第一スライダ４０移動動作とともに移動可能に構成されることから、異物が第一スライダ４０のカム当接面４３とカム部材８０のカム面８１との当接部分側に入り込むことをより確実に防止することができる。
【００４８】
フェンス部材９０の本体部９１は、上下中央部が前方に突出するように緩やかに湾曲する弧状に形成されつつ、下端部が後方（カム部材８０側）に突出するように構成される。
このように構成することによって、中間部材２０の閉状態から開状態まで、第一スライダ４０及びカム部材８０の外側から、第一スライダ４０のカム当接面４３とカム部材８０のカム面８１との当接部分側に異物が入り込むことをより確実に防止することができる。
なお、フェンス部材９０の本体部９１は、第一スライダ４０のカム当接面４３とカム部材８０のカム面８１との当接部分側に異物が入り込むことをより確実に防止するにあたって、このように湾曲する等の構成以外に角張るように構成することもできる。
【００４９】
フェンス部材９０の本体部９１は、左右一対のガード部９４・９４を有する。
ガード部９４は、フェンス部材９０の本体部９１の内側（後面）に溜まったグリスや塵芥等が本体部９１の外側（左右外側）に漏出すことを防止する。ガード部９４は、本体部９１の後面（カム部材８０側の面）左右縁部近傍に設けられる。ガード部９４は、本体部９１の上端部近傍から下端部近傍に亘って上下方向に形成される突条に構成される。
このように構成することによって、フェンス部材９０の本体部９１の内側に溜まったグリス等が本体部９１の外側に漏出すことを防止するものを簡易な構成で実現することができる。
【００５０】
なお、フェンス部材９０が、第一スライダ４０にぶら下がるように支持される構成はこのような構成に限定されるものではない。例えば、フェンス部材９０のアーム９２が凸部９３を有さずに凹部を有し、第一スライダ４０が凹部４４を有さずに凸部を有し、フェンス部材９０の凹部に第一スライダ４０の凸部が配置されることによって、フェンス部材９０が第一スライダ４０に支持される構成とすることもできる。また例えば、フェンス部材９０が第一スライダ４０の本体４１に支持される構成とすることもできる。
【符号の説明】
【００５１】
１      複合機
２      本体
３      原稿圧着板
１０    下部固定部材
２０    中間部材
３０    上部固定部材
４０    第一スライダ
４１    本体
４２    カム当接部
４３    カム当接面
４４    凹部
４５    案内部
５０    第二スライダ
７１    第一回動ピン
７２    第二回動ピン
７３    受圧部
８０    カム部材
８１    カム面
９０    フェンス部材
９１    本体部
９２    アーム
９３    凸部
９４    ガード部
１００  ヒンジ
【図１】
2020194121.tif 000003
【図２】
2020194121.tif 000004
【図３】
2020194121.tif 000005
【図４】
2020194121.tif 000006
【図５】
2020194121.tif 000007
【図６】
2020194121.tif 000008
【図７】
2020194121.tif 000009
【図８】
2020194121.tif 000010
【図９】
2020194121.tif 000011